(57)【要約】【課題】使用時の快適性をより向上させることのできるヘアドライヤの取付具およびヘアケア装置を提供する。【解決手段】ヘアケア装置１は、アタッチメント（取付具）２と、ヘアドライヤ３とを備えている。アタッチメント２は、基台部（本体部）３１と、突起部３３とを有している。基台部（本体部）３１は、ヘアドライヤ３の吹き出し口１２に取り付けられる差し込み部（取付け部）３４を有する。突起部３３は、基台部３１から突出している。また、突起部３３は、施術箇所に接触する少なくとも一つの先端部を有する。突起部３３は、第１の部材（棒状体４１）と、第１の部材よりも熱伝導率の高い第２の部材（先端接触部４２）とを有している。第２の部材（先端接触部４２）は、施術箇所側に位置している。【選択図】図３
2019118729.tif 000002
【特許請求の範囲】
【請求項１】
ヘアドライヤの取付具であって、
取付け部を有する本体部と、
前記本体部から突出し、かつ、施術箇所に接触する先端部を有する突起部と
を備え、
前記突起部は、第１の部材と、前記第１の部材よりも熱伝導率の高い第２の部材とを有しており、
前記第２の部材は、前記施術箇所側に位置している、取付具。
【請求項２】
前記第２の部材は、前記先端部の少なくとも一部を形成し、
前記第２の部材は、球体、多角形体、および柱状体のうちの何れかである、
請求項１に記載の取付具。
【請求項３】
前記突起部は、前記先端部を有する複数の棒状体を有し、かつ、
前記複数の棒状体の各先端部は、前記第２の部材で形成されており、
前記第２の部材で形成された各先端部は、湾曲面を有する前記施術箇所へ向かうようにそれぞれ配置されている、
請求項２に記載の取付具。
【請求項４】
前記突起部には、前記先端部を形成する前記第２の部材へ向けて風を送る送風路が設けられている、
請求項１から３の何れか１項に記載の取付具。
【請求項５】
前記第２の部材は、可動部材である、請求項１から４の何れか１項に記載の取付具。
【請求項６】
ヘアドライヤの取付具であって、
取付け部を有する本体部と、
前記本体部から突出し、かつ、施術箇所に接触する先端部を有する突起部と
を備え、
前記突起部の少なくとも一部は、金属材料で形成されている、取付具。
【請求項７】
ヘアドライヤと、
請求項１から６の何れか１項に記載の取付具と
を備えているヘアケア装置。
【請求項８】
前記ヘアドライヤには、風の温度を制御する温度制御部が設けられており、
前記温度制御部は、前記取付具が取り付けられた状態では、前記取付具が取り付けられていない状態のときと比較して、風の温度の上限値を低下させる、
請求項７に記載のヘアケア装置。
【発明の詳細な説明】
【技術分野】
【０００１】
本発明は、ヘアドライヤに取り付けて使用される取付具、およびヘアケア装置に関する。
【背景技術】
【０００２】
ヘアドライヤは、一端の吸気口から吸入した空気を加温して他端の排気口から排出することにより、温風を放出する。使用者は、ヘアドライヤからの温風を毛髪に当てることにより、毛髪を乾燥させる。近年のヘアドライヤには、温風を吐出して髪の乾燥やセットを行うだけでなく、イオンを含んだ風を送風することにより毛髪および頭皮のケア機能を備えているものがある。このようなケア機能を有するヘアドライヤは、ヘアケア装置とも呼ばれる。
【０００３】
また、頭皮のマッサージを行うために、ヘアドライヤの吹き出し口に、突起を有する取付具を取り付けることも提案されている。
【０００４】
例えば、特許文献１には、ヘアドライヤのハウジング１に対して着脱可能なカバー体３が開示されている。カバー体３は、使用者の頭部の一部を覆うようにして使用される。
【０００５】
また、カバー体３は、風路内に、使用者の頭部を刺激するための頭部刺激体３３を備えている。頭部刺激体３３は、指を模した複数の棒状体３３１を有している。ヘアドライヤを使用した場合、棒状体３３１は使用者の頭部に接触する。
【先行技術文献】
【特許文献】
【０００６】
【特許文献１】特開２０１７−１６９６１４号公報
【発明の概要】
【発明が解決しようとする課題】
【０００７】
このように、ヘアドライヤの使用時に、突起が頭部に接触して頭部を刺激するような構成を有する取付具では、使用時の快適性のさらなる向上が求められている。
【０００８】
そこで、本発明では、ヘアドライヤの使用時の快適性をより向上させることのできるヘアドライヤの取付具およびヘアケア装置を提供する。
【課題を解決するための手段】
【０００９】
本発明の一局面にかかる取付具は、ヘアドライヤに取り付けられる。この取付具は、取付け部を有する本体部と、前記本体部から突出し、かつ、施術箇所に接触する先端部を有する突起部とを備えている。前記突起部は、第１の部材と、前記第１の部材よりも熱伝導率の高い第２の部材とを有している。また、前記第２の部材は、前記施術箇所側に位置している。
【００１０】
また、本発明のもう一つの局面にかかるヘアケア装置は、ヘアドライヤと、本発明の一局面にかかる取付具とを備えている。
【発明の効果】
【００１１】
本発明の一局面にかかる取付具をヘアドライヤに取り付けることで、ヘアドライヤから吹き出す風の温冷をより感じやすくすることができ、使用時に快適性をより向上させることができる。また、本発明の一局面にかかるヘアケア装置によれば、使用時の快適性を向上させることができる。
【図面の簡単な説明】
【００１２】
【図１】本発明の一実施形態にかかるヘアケア装置の外観構成を示す側面図である。
【図２】図１に示すヘアケア装置の構成を示す斜視図である。
【図３】図１に示すヘアケア装置を構成するアタッチメントとヘアドライヤの外観構成を示す分解斜視図である。
【図４】図３に示すアタッチメントを突起部の先端側から見た平面図である。
【図５】図３に示すアタッチメントを頭部（施術箇所）に当接させた状態を示す模式図である。
【図６】図３に示すアタッチメントの施術箇所との対向面を示す平面図である。
【図７】図３に示すアタッチメントの内部構成を示す断面図である。
【図８】本発明の一実施形態にかかるヘアドライヤの内部構成を示すブロック図である。
【図９】本発明の第２の実施形態にかかるヘアケア装置を構成するアタッチメントを突起部の先端側から見た平面図である。
【図１０】本発明の第３の実施形態にかかるヘアケア装置を構成するアタッチメントを突起部の先端側から見た平面図である。
【図１１】本発明の第４の実施形態にかかるヘアケア装置を構成するアタッチメントの内部構成を示す断面図である。
【図１２】本発明の第５の実施形態にかかるヘアケア装置を構成するアタッチメントの内部構成を示す断面図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜第１の実施形態＞
本実施形態では、本発明の取付具の一例であるアタッチメントが取り付けられたヘアドライヤ（毛髪乾燥機）を例に挙げて説明する。なお、アタッチメントが取り付けられたヘアドライヤは、毛髪を乾燥させるという用途だけではなく、毛髪および頭皮のマッサージなどの用途にも用いられる。つまり、アタッチメントが取り付けられたヘアドライヤは、毛髪または頭皮をケアするという機能も有する。したがって、アタッチメントが取り付けられたヘアドライヤは、ヘアケア装置または頭皮ケア装置とも呼ばれる。
【００１５】
（ヘアケア装置およびヘアドライヤの構成）
先ず、本実施の形態にかかるヘアケア装置１の概略構成について、図１から図３を用いて説明する。図１は、ヘアケア装置１の側面図である。図２には、ヘアケア装置１を下方から見たときの構成を示す。
【００１６】
図１に示すように、ヘアケア装置１は、主として、アタッチメント（取付具）２と、ヘアドライヤ３とで構成されている。アタッチメント２は、ヘアドライヤ３の風の吹き出し口１２（図３参照）に取り付けて使用される。図３には、アタッチメント（取付具）２をヘアドライヤ３から取り外した状態を示す。
【００１７】
本明細書では、ヘアケア装置１の各構成要素の形状および位置関係などを説明するにあたって、便宜上、ヘアケア装置１（並びに、アタッチメント２およびヘアドライヤ３）を図１から図３に示すようなＸ方向（幅方向）、Ｙ方向（上下方向）、Ｚ方向（前後方向）という三方向の座標軸で規定する。
【００１８】
アタッチメント２は、主として、基台部（本体部）３１と、基台部３１から突出する突起部３３と、突起部３３の周囲の一部を覆うように設けられたカバー部３２とで構成されている。突起部３３は、複数（本実施形態では、５本）の棒状体４１を有しており、人の手で頭皮マッサージを行うときの手指の形状を模したような形状となっている（図２など参照）。
【００１９】
各棒状体４１の先端には、ヘアケア装置１の使用時（施術時）にユーザの頭皮または毛髪（施術箇所）と接触する先端接触部（先端部）４２が設けられている。先端接触部（先端部）４２は、マッチ棒の先端のように、他の部分と比較して、やや膨らんだ球形状となっている。これにより、施術時の頭皮に対する接触部の接触面積を拡張することができる。そして、突起部３３が頭皮へ接触したときの頭皮の感触をより良好なものにすることができる。アタッチメント２のより具体的な構成については、後述する。
【００２０】
図１に示すように、ヘアドライヤ３は、側面視において略Ｌ字形状を有する。ヘアドライヤ３の外形は、主として、プラスチックなどで形成された筐体で構成されている。筐体は、本体部１０と持ち手部２０とで構成されている。
【００２１】
ヘアドライヤ３には、Ｚ１−Ｚ２方向に延びる本体部１０の各端部に、空気の吸い込み口１１と、風の吹き出し口１２とが設けられている（図３参照）。吹き出し口１２の周囲には、アタッチメント２との接続部１３が設けられている。
【００２２】
持ち手部２０には、操作部２１が設けられている。ヘアドライヤ３の使用時に、ユーザが操作部２１を操作することで、ヘアドライヤ３が動作を開始したり停止したりする。また、操作部２１が操作されることで、吹き出し口１２から吹き出す風の種類（温風／冷風）および風量などが調節される。
【００２３】
持ち手部２０の下端部（Ｙ２方向の端部）には、電源コード２２が設けられている。
【００２４】
図８には、ヘアドライヤ３の内部構成を示す。ヘアドライヤ３には、制御部７１、ヒータ７２、ファン７３、イオン供給部（帯電粒子発生装置ともいう）７５、接続スイッチ７４、操作部２１などが備えられている。
【００２５】
制御部７１は、操作部２１で操作された内容に応じて、ヒータ７２、ファン７３、およびイオン供給部７５などの動作を制御する。
【００２６】
ファン７３は、内部にモータを有している。ヘアドライヤ３の稼働時、モータの駆動力によってファン７３が回転する。これにより、ヘアドライヤ３の内部で、吸い込み口１１から吹き出し口１２へと向かう空気の流れが形成される。
【００２７】
ヒータ７２は、吸い込み口１１から本体部１０内へ取り込まれた空気を加熱する。ヘアドライヤ３の稼働時、ヒータ７２が稼働することで、ヘアドライヤ３の内部に取り込まれた空気が加熱され、吹き出し口１２から温風を送出させることができる。制御部７１内には、ヒータ７２による温風の加熱温度を制御するための温度制御部７６が設けられている。例えば、ユーザが操作部２１において冷風吹き出しの運転モードを選択したときには、温度制御部７６は、ヒータ７２の運転を停止させる。これにより、吹き出し口１２からは、冷風が送出される。また、後述するように、温度制御部７６は、アタッチメント２が取り付けられているか否かに応じて、吹き出し口１２から送出される温風の温度を変更することもできる。
【００２８】
イオン供給部７５は、吹き出し口１２の近傍に配置されている。
【００２９】
イオン供給部７５は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生する。ヘアドライヤ３にイオン供給部７５が備えられていることで、ヘアドライヤ３から吹き出す風にイオンを含有させることができる。ヘアドライヤ３から吹き出す風にイオンが含まれていることで、施術される頭皮のうるおいを保つなど、頭皮環境を整えることができる。また、施術される毛髪のうるおいをキープしたり、キューティクルを引き締めたりして毛髪のダメージを抑え、トリートメント効果を得ることができる。なお、本発明の別の態様にかかるヘアドライヤでは、イオン供給部が設けられていない構成とすることもできる。
【００３０】
接続スイッチ７４は、接続部１３の近傍に設けられている。接続スイッチ７４は、アタッチメント２などの取付具が吹き出し口１２に取り付けられると、ＯＮ状態となり、アタッチメント２などの取付具が吹き出し口１２から取り外されると、ＯＦＦ状態となる。接続スイッチ７４におけるＯＮ／ＯＦＦの情報は、制御部７１へ送信される。
【００３１】
操作部２１は、ユーザによって操作される。操作部２１における操作情報は、制御部７１へ送信される。
【００３２】
以上の構成により、ヘアドライヤ３の吹き出し口１２から風を吹き出すことができる。ヘアドライヤ３の吹き出し口１２を毛髪の近くに置くことで、吹き出し口１２からの風を毛髪へ当てることができる。これにより、毛髪を乾燥させることができる。
【００３３】
本実施形態では、上記の構成を有するヘアドライヤ３の吹き出し口１２にアタッチメント２が取り付けられる。ヘアドライヤ３にアタッチメント２を取り付けた状態でヘアドライヤ３を稼働させると、吹き出し口１２から吹き出される風は、アタッチメント２を通過してユーザの施術箇所およびその近傍へ導かれる。
【００３４】
つまり、本実施形態にかかるヘアケア装置１によれば、ヘアドライヤ３から供給される風を、アタッチメント２内部の送風路を通過させて、主としてユーザの施術箇所へ送出することができる。上述したように、アタッチメント２には、先端接触部（先端部）４２を有する突起部３３が設けられている。そのため、ヘアケア装置１を使用するユーザは、ヘアドライヤ３から供給されるイオンを含む風を、毛髪または頭皮に当てながら、突起部３３の先端接触部（先端部）４２を頭皮または毛髪に接触させて施術箇所のマッサージを行うことができる。
【００３５】
（アタッチメントの構成）
続いて、アタッチメント２のより具体的な構成について説明する。図４、図６、および図７は、アタッチメント２を異なる方向からそれぞれ見た図である。図４は、Ｚ１側からアタッチメント２を見た図である。図６は、Ｙ２側からアタッチメント２を見た図である。図７は、Ｚ−Ｙ平面におけるアタッチメント２の断面構造を示す図である。また、図５は、アタッチメント２を施術箇所（頭部）へ当てた状態を示す模式図である。
【００３６】
アタッチメント２は、基台部（本体部）３１、カバー部３２、突起部３３、差し込み部（取付け部）３４、送風口３５などを有している。基台部３１は、略円筒形状を有している。基台部３１のＺ２方向側には、差し込み部３４が設けられている。また、基台部３１のＺ１方向側には、カバー部３２および突起部３３が設けられている。
【００３７】
カバー部３２は、突起部３３の周囲の一部（具体的には、突起部３３のＹ１方向側の外周部）を覆うように設けられている。ヘアケア装置１の使用時、カバー部３２は、ユーザの頭部の一部（施術箇所）を覆うことのできる形状に構成されている。
【００３８】
突起部３３は、送風口３５から風の吹き出し方向へ向けて（Ｚ１方向側へ）、基台部３１から突出するように設けられている。突起部３３は、複数の棒状体（第１の部材）４１と、各棒状体４１の先端部に位置する先端接触部（第２の部材）４２とを有している。本実施形態では、複数の棒状体４１は５本設けられており、人間の手指を模した形状となっている。
【００３９】
後述するように、棒状体４１と先端接触部４２とは、互いに熱伝導率の異なる材料で形成されている。ここでは、棒状体４１を形成している材料を第１の材料と呼び、先端接触部４２を形成している材料を第２の材料と呼ぶ。
【００４０】
また、各棒状体４１には、カバー部３２との対向面とは反対側の面（Ｙ２方向側の面）に、溝部４３が形成されている（図６参照）。溝部４３は、棒状体４１の一部を抉るようにして形成されている。さらに、各棒状体４１の溝部４３の先端部（先端接触部４２との境界部近傍）には、棒状体４１の一部をさらに抉って形成された切り欠き部４４が形成されている。溝部４３および切り欠き部４４は、送風口３５を通る風を、先端接触部４２へ向けて優先的に送る送風路の役割を果たす。
【００４１】
溝部４３および切り欠き部４４が、ヘアドライヤ３からの風を先端接触部４２へ導く送風路の役割を果たすことで、ヘアドライヤ３から温風が吹き出される場合には、先端接触部４２をより効率的に温めることができる。一方、ヘアドライヤ３から冷風が吹き出される場合には、先端接触部４２をより効率的に冷やすことができる。
【００４２】
差し込み部３４は、ヘアドライヤ３の吹き出し口１２の内周に嵌め込まれる。これにより、アタッチメント２をヘアドライヤ３の吹き出し口１２に固定接続することができる。アタッチメント２がヘアドライヤ３の適切な位置に取り付けられると、ヘアドライヤ３の接続スイッチ７４がＯＮ状態になる。
【００４３】
送風口３５は、差し込み部（取付け部）３４、基台部３１、およびカバー部３２の各内周面で形成されている。アタッチメント２がヘアドライヤ３の吹き出し口１２に取り付けられると、ヘアドライヤ３から吹き出された風は、送風口３５を通って外部へ吹き出される。
【００４４】
アタッチメント２がヘアドライヤ３に取り付けられた状態では、Ｙ１側からＹ２側へ向かって、アタッチメント２は、カバー部３２、突起部３３、および送風口３５の順に各部材が配置されている（図７参照）。
【００４５】
（突起部の構成について）
続いて、アタッチメント２の突起部３３のより具体的な構成について説明する。上述したように、突起部３３には、複数の棒状体４１が設けられている。各棒状体４１の先端には、先端接触部（先端部）４２が設けられている。本実施形態では、先端接触部（先端部）４２は、マッチ棒の先端のように、他の部分と比較して、やや膨らんだ球体状になっている。
【００４６】
各棒状体４１は、第１の部材とも呼ばれる。第１の部材は、例えば、ポリプロピレン（ＰＰ）、ポリスチレン（ＰＳ）、アクリルニトリルブタジエンスチレン（ＡＢＳ）、ポリエチレン（ＰＥ）、ナイロン(ＰＡ)などの樹脂材料などの第１の材料で主に形成されている。なお、第１の部材は、第１の材料と、その他の材料とを混合して形成されていてもよい。
【００４７】
また、第１の材料は、例えば、１Ｗ／（ｍ・Ｋ）以下の範囲内の熱伝導率を有していることが好ましい。
【００４８】
また、先端接触部４２は、第２の部材とも呼ばれる。第２の部材は、第１の部材よりも熱伝導率が高い。すなわち、第２の部材は、第１の部材と比較して、熱が伝わりやすい。そのため、ヘアドライヤ３から温かい風が吹き出された場合には、第２の部材は第１の部材よりも温度が高くなる傾向にある。一方、ヘアドライヤ３から冷たい風が吹き出された場合には、第２の部材は第１の部材よりも温度が低くなる傾向にある。第２の部材は、施術箇所に接触するため、アタッチメント２が取り付けられたヘアケア装置１を使用するユーザは、温冷（温かさまたは冷たさ）をより感じやすい。
【００４９】
第２の部材は、第１の材料と比較して熱伝導率の高い第２の材料で主に形成されている。なお、第２の部材は、第２の材料と、その他の材料とを混合して形成されていてもよい。第２の材料としては、例えば、鉄、ニッケル、チタン、ステンレス、銅などの金属材料（合金材料を含む）、ダイヤモンドなどの鉱石材料、セラミックスなどの陶磁器材料などが挙げられる。
【００５０】
また、第２の材料は、例えば、１０Ｗ／（ｍ・Ｋ）以上の範囲内の熱伝導率を有していることが好ましい。
【００５１】
また、先端接触部４２は、鉄などの金属で形成されたボール（球状体）の表面に、ニッケルのメッキが施されたものであってもよい。あるいは、先端接触部４２は、鉄などの金属で形成されたボール（球状体）の表面に、チタン蒸着が施されたものであってもよい。
【００５２】
図４に示すように、先端接触部４２は、棒状体４１の先端部に埋め込まれるように取り付けられている。棒状体４１は、先端接触部４２と比較して柔らかい材料で形成されている。また、棒状体４１は、ある程度の弾性を有していることが好ましい。これにより、突起部３３が施術箇所に当たったときの感触を和らげ、使用時の快適性を向上させることができる。例えば、棒状体４１は、ＰＰ、ＰＳなどの弾性を有する樹脂材料で形成することができる。
【００５３】
また、先端接触部４２は、可動部材であってもよい。すなわち、先端接触部４２は、棒状体４１に対して可動性を有していてもよい。例えば、可塑性の樹脂材料で形成された棒状体４１の先端部（先端接触部４２の保持部４１ａ）に、金属などのある程度の剛性を有する材料で形成された球状の先端接触部４２を嵌め込むことで、先端接触部４２は回転可能となる。ここで、棒状体４１の先端に形成された保持部４１ａは、球状の先端接触部４２の直径よりも大きな径の空間を有している。また、保持部４１ａは、球状の先端接触部４２の直径よりも小さな径の開口部を有している。この開口部から球状の先端接触部４２を保持部４１ａ内の空間に押し込むことで、先端接触部４２が保持部４１ａに回転可能な状態で保持される。このようにして、可動性を有する先端接触部４２を形成することができる。
【００５４】
続いて、複数の棒状体４１の先端に設けられた各先端接触部４２の配置について、図４および図５を参照しながら説明する。図５は、人の頭部Ａを施術箇所として、ヘアケア装置１のアタッチメント２を施術箇所に当てた状態を示す模式である。
【００５５】
なお、ここで、施術箇所とは、ユーザの頭部（具体的には、頭皮または毛髪など）の一部分であって、ヘアケア装置１を用いて重点的にケアされる場所のことを意味する。例えば、ヘアケア装置１の使用時に、アタッチメント２の突起部３３の各先端接触部４２が接触または当接する箇所が施術箇所に相当する。なお、ヘアケア装置１の使用時、ユーザは、頭皮または毛髪に対してヘアケア装置１を移動させながらケア（施術）を行う。したがって、施術箇所は順次移動する。
【００５６】
図５に示すように、人の頭部Ａなどの施術箇所は、湾曲面を有している。そして、アタッチメント２に設けられた複数の棒状体４１の各先端部に位置する先端接触部４２（第２の部材）は、施術箇所の湾曲面に沿うように配置されている。
【００５７】
また、図５では、球状の各先端接触部４２の中心から施術箇所の表面（頭部表面の湾曲面）へ向けた垂線を、破線の矢印で示す。図５に示すように、本実施形態のアタッチメント２では、５本の棒状体４１の先端に位置する各先端接触部４２が、湾曲面を有する頭部Ａの表面（施術箇所）へ向かうように、それぞれ配置されている。すなわち、棒状体４１の先端部に部分的に嵌め込まれている先端接触部４２の露出面が、仮想の湾曲面に沿って配置されているとも言える。
【００５８】
さらに言い換えると、本実施形態のアタッチメント２では、複数（５個）の先端接触部４２のうち、中央の先端接触部４２ａの球体は、真下（図５中、矢印Ｙ２方向）を向いて取り付けられている。また、中央の先端接触部４２ａから離れた先端接触部４２ほど、中央側（内側）を向くような配置で、棒状体４１の先端部に取り付けられている。
【００５９】
この構成によれば、頭部Ａなどの湾曲した形状を有する施術箇所に対して、各先端接触部４２をよりフィットさせた状態で当てることができる。また、複数の先端接触部４２のそれぞれから、施術箇所に対して、比較的均等に力を加えることができる。したがって、ヘアケア装置１を使用したときの施術箇所に対し、効率よくマッサージを行うことができる。
【００６０】
（ヘアドライヤの温度制御について）
続いて、ヘアドライヤ３において行われるヒータ７２の温度制御方法の一例を説明する。上述したように、ヘアケア装置１を構成するヘアドライヤ３には、吹き出し口１２から吹き出される風の温度を制御するために、温度制御部７６が備えられている。
【００６１】
アタッチメント２を取り付けることなくヘアドライヤ３を単体で使用するとき、ユーザは、ヘアドライヤ３の吹き出し口１２を頭部から、例えば、約１０ｃｍ〜約２０ｃｍ程度離した状態で使用する傾向にある。また、アタッチメント２とは形状の異なる非接触式のアタッチメントをヘアドライヤ３に取り付けた場合には、アタッチメント２の使用時よりも、非接触式のアタッチメントを頭皮から離した状態でヘアドライヤ３は使用される傾向にある。これに対して、アタッチメント２が取り付けられた状態でヘアドライヤ３を使用するときには、ユーザは、アタッチメント２の先端部分を頭部に接触させて使用する。そのため、ヘアケア装置１を使用するときには、ヘアドライヤ３単体で使用されるときよりも、ヘアドライヤ３の吹き出し口１２は、頭部により近い距離に位置する。
【００６２】
そのため、ヘアドライヤ３が温風吹き出しモードに設定されているときには、アタッチメント２が取り付けられているか否かによって、温風の温度を変更することが好ましい。つまり、ヘアドライヤ３の温度制御部７６は、アタッチメント２が取り付けられている状態では、アタッチメント２が取り付けられていない状態と比較して、温風の温度の上限値を低下させることが好ましい。
【００６３】
これにより、吹き出し口１２が頭部により近い距離に位置するアタッチメント２取付時に、ユーザが温風を熱過ぎると感じることを抑制することができる。したがって、ヘアケア装置１の使用時の快適性をより向上させることができる。
【００６４】
なお、温度制御部７６は、接続スイッチ７４から送信される検知情報に基づいて、吹き出し口１２にアタッチメント２が取り付けられているかを判断することができる。
【００６５】
（第１の実施形態のまとめ）
以上のように、本実施形態にかかるアタッチメント２は、ヘアドライヤ３に取り付けて用いられる。アタッチメント２は、基台部３１と、基台部３１から突出する突起部３３とを有している。基台部（本体部）３１は、ヘアドライヤ３の吹き出し口１２に取り付けられる差し込み部（取付け部）３４を有する。突起部３３は、基台部３１から突出している。また、突起部３３は、施術箇所に接触する少なくとも一つの先端部を有する。突起部３３は、第１の部材（棒状体４１）と、第１の部材よりも熱伝導率の高い第２の部材（先端接触部４２）とを有している。第２の部材（先端接触部４２）は、施術箇所側に位置している。
【００６６】
以上のように、本実施形態にかかるアタッチメント２では、先端接触部４２を構成する第２の部材は、棒状体４１を構成する第１の部材よりも熱伝導率が高くなっている。すなわち、第２の部材は、第１の部材と比較して、熱が伝わりやすい。そのため、ヘアドライヤ３から温かい風が吹き出された場合には、第２の部材は第１の部材よりも温度が高くなる傾向にある。一方、ヘアドライヤ３から冷たい風が吹き出された場合には、第２の部材は第１の部材よりも温度が低くなる傾向にある。第２の部材は、施術箇所に接触するため、アタッチメント２が取り付けられたヘアケア装置１を使用するユーザは、温冷をより感じやすい。
【００６７】
したがって、本実施形態にかかるアタッチメント２によれば、ヘアドライヤ３から吹き出す風の温冷をより感じやすくすることができ、使用時に快適性をより向上させることができる。例えば、ヘアドライヤから吹き出される風の温度に応じて、アタッチメント２の先端接触部４２が温かくなったり、冷たくなったりすれば、頭皮をより刺激することができ、ユーザの使用時の快適性を向上させることができる。
【００６８】
＜第２の実施形態＞
続いて、本発明の第２の実施形態について説明する。第２の実施形態では、アタッチメント１０２の突起部３３の先端部分の構成が第１の実施形態とは異なっている。それ以外の構成については、第１の実施形態と同様の構成を適用することができる。そこで、以下では、第１の実施形態とは異なる構成を中心に説明する。
【００６９】
図９には、第２の実施形態にかかるヘアケア装置１を構成するアタッチメント１０２の構成を示す。図９は、Ｚ１側からアタッチメント１０２を見た図である。
【００７０】
第２の実施形態にかかるヘアケア装置１は、主として、アタッチメント（取付具）１０２と、ヘアドライヤ３とで構成されている。ヘアドライヤ３の構成については、第１の実施形態と同様の構成が適用できる。そのため、ヘアドライヤ３の詳細な説明は省略する。
【００７１】
アタッチメント１０２は、主として、基台部（本体部）３１と、基台部３１から突出する突起部３３と、突起部３３の周囲の一部を覆うように設けられたカバー部３２とで構成されている。基台部３１およびカバー部３２は、第１の実施形態と同様の構成を有している。また、アタッチメント１０２は、第１の実施形態と同様に、内部に送風口３５を有している。
【００７２】
突起部３３は、第１の実施形態と同様に、複数（本実施形態では、５本）の棒状体１４１を有しており、人の手で頭皮マッサージを行うときの手指の形状を模したような形状となっている（図２など参照）。各棒状体１４１の先端には、ヘアケア装置１の使用時（施術時）にユーザの頭皮または毛髪（施術箇所）と接触する先端接触部（先端部）１４２が設けられている。
【００７３】
第１の実施形態と同様に、棒状体１４１は、第１の部材とも呼ばれ、先端接触部１４２は、第２の部材とも呼ばれる。棒状体１４１および先端接触部１４２は、それぞれ第１の実施形態と同様の材料で形成することができる。また、第１の実施形態と同様に、先端接触部１４２は、球形状を有している。
【００７４】
第１の実施形態にかかるアタッチメント２では、５本の棒状体４１の先端に位置する各先端接触部４２が、湾曲面を有する頭部Ａの表面（施術箇所）へ向かうように、それぞれ配置されている（図５参照）。これに対して、第２の実施形態にかかるアタッチメント１０２は、５本の棒状体１４１の先端に位置する各先端接触部１４２は、棒状体１４１からの露出面が全て同じ方向を向いて配置されている。具体的には、図９において破線の矢印で示すように、棒状体１４１の先端部に部分的に埋め込まれている先端接触部１４２の露出面が、下方（図９中、Ｙ２方向）を向くように配置されている。
【００７５】
上記の構成によれば、棒状体１４１の成形、および、棒状体１４１への先端接触部１４２の取付を、より容易に行うことができる。
【００７６】
＜第３の実施形態＞
続いて、本発明の第３の実施形態について説明する。第３の実施形態では、アタッチメント２０２の突起部３３の先端部分の構成が第１の実施形態とは異なっている。それ以外の構成については、第１の実施形態と同様の構成を適用することができる。そこで、以下では、第１の実施形態とは異なる構成を中心に説明する。
【００７７】
図１０には、第３の実施形態にかかるヘアケア装置１を構成するアタッチメント２０２の構成を示す。図１０は、Ｚ１側からアタッチメント２０２を見た図である。
【００７８】
第３の実施形態にかかるヘアケア装置１は、主として、アタッチメント（取付具）２０２と、ヘアドライヤ３とで構成されている。ヘアドライヤ３の構成については、第１の実施形態と同様の構成が適用できる。そのため、ヘアドライヤ３の詳細な説明は省略する。
【００７９】
アタッチメント２０２は、主として、基台部（本体部）３１と、基台部３１から突出する突起部３３と、突起部３３の周囲の一部を覆うように設けられたカバー部３２とで構成されている。基台部３１およびカバー部３２は、第１の実施形態と同様の構成を有している。また、アタッチメント２０２は、第１の実施形態と同様に、内部に送風口３５を有している。
【００８０】
突起部３３は、第１の実施形態と同様に、複数（本実施形態では、５本）の棒状体１４１を有しており、人の手で頭皮マッサージを行うときの手指の形状を模したような形状となっている（図２など参照）。本実施形態では、各棒状体１４１は、第２の実施形態と同様の形状を有している。しかし、本発明の別の態様では、各棒状体１４１は、第１の実施形態と同様の形状を有していてもよい。各棒状体１４１の先端には、ヘアケア装置１の使用時（施術時）にユーザの頭皮または毛髪（施術箇所）と接触する先端接触部（先端部）２４２が設けられている。
【００８１】
第１の実施形態と同様に、棒状体１４１は、第１の部材とも呼ばれ、先端接触部２４２は、第２の部材とも呼ばれる。棒状体１４１は、第１の実施形態と同様の材料で形成することができる。また、第１の実施形態と同様に、先端接触部１４２は、球形状を有している。
【００８２】
第１の実施形態にかかるアタッチメント２では、５本の棒状体４１の先端に位置する各先端接触部４２は、球形状を有している。これに対して、第３の実施形態にかかるアタッチメント２０２の先端接触部２４２は、多角形体の形状を有している。例えば、先端接触部２４２は、その断面が六角形状、または八角形状を有している。
【００８３】
先端接触部２４２が多角形体の形状を有していることで、ヘアケア装置１を用いた施術時に、頭皮への接触面積を大きくさせることができる。また、先端接触部２４２が多角形体の形状を有していることで、頭皮などの施術箇所への接着力（摩擦力）が高められる。これにより、より効率よくマッサージを行うことができる。
【００８４】
多角形体の先端接触部２４２は、第１の材料と比較して熱伝導率の高い第２の材料を使用して形成されている。例えば、先端接触部２４２は、多角形体に成形した樹脂材料の表面に、金属などの第２の材料をコーティングすることによって形成することができる。この樹脂材料は、第１の材料と同じ材料であってもよいし、異なる材料であってもよい。
【００８５】
またあるいは、先端接触部２４２は、第２の材料を多角形状に成形することによって形成してもよい。
【００８６】
各棒状体１４１に対する先端接触部２４２の配置の仕方は、第１の実施形態と同じであってもよいし、第２の実施形態と同じであってもよい。
【００８７】
＜第４の実施形態＞
続いて、本発明の第４の実施形態について説明する。第４の実施形態では、アタッチメント３０２の突起部３３３の構成が第１の実施形態とは異なっている。それ以外の構成については、第１の実施形態と同様の構成を適用することができる。そこで、以下では、第１の実施形態とは異なる構成を中心に説明する。
【００８８】
図１１には、第４の実施形態にかかるヘアケア装置１を構成するアタッチメント３０２の構成を示す。図１１は、Ｚ−Ｙ平面におけるアタッチメント３０２の断面構造を示す図である。
【００８９】
第４の実施形態にかかるヘアケア装置１は、主として、アタッチメント（取付具）３０２と、ヘアドライヤ３とで構成されている。ヘアドライヤ３の構成については、第１の実施形態と同様の構成が適用できる。そのため、ヘアドライヤ３の詳細な説明は省略する。  
【００９０】
アタッチメント３０２は、基台部（本体部）３１、カバー部３２、突起部３３３、差し込み部（取付け部）３４、送風口３５などを有している。基台部（本体部）３１、カバー部３２、差し込み部（取付け部）３４、および送風口３５は、第１の実施形態と同様の構成を有している。
【００９１】
突起部３３３は、第１の実施形態と同様に、複数（本実施形態では、５本）の棒状体３４１を有しており、人の手で頭皮マッサージを行うときの手指の形状を模したような形状となっている（図２など参照）。各棒状体３４１の先端には、ヘアケア装置１の使用時（施術時）にユーザの頭皮または毛髪（施術箇所）と接触する先端接触部（先端部）３４２が設けられている。
【００９２】
第１の実施形態と同様に、棒状体３４１は、第１の部材とも呼ばれ、先端接触部３４２は、第２の部材とも呼ばれる。棒状体３４１および先端接触部３４２は、それぞれ第１の実施形態と同様の材料で形成することができる。また、第１の実施形態と同様に、先端接触部３４２は、球形状を有している。
【００９３】
第１の実施形態にかかるアタッチメント２では、各棒状体４１における施術箇所との対向面には、溝部４３が形成されている（図６参照）。これに対して、第４の実施形態にかかるアタッチメント３０２では、各棒状体３４１の内部に空洞３４３が形成されている。図１１に示すように、この空洞３４３は、棒状体３４１の付け根部分（Ｚ２側）から先端部（Ｚ１）にまで延びている。空洞３４３の先端部は、先端接触部３４２の表面の一部にまで到達している。
【００９４】
この空洞３４３は、送風口３５を通る風を、先端接触部３４２へ向けて優先的に送る送風路の役割を果たす。空洞３４３が、ヘアドライヤ３からの風を先端接触部３４２へ導く送風路の役割を果たすことで、ヘアドライヤ３から温風が吹き出される場合には、先端接触部３４２をより効率的に温めることができる。一方、ヘアドライヤ３から冷風が吹き出される場合には、先端接触部３４２をより効率的に冷やすことができる。
【００９５】
＜第５の実施形態＞
続いて、本発明の第５の実施形態について説明する。第５の実施形態では、アタッチメント４０２の突起部４３３の構成が第４の実施形態とは異なっている。それ以外の構成については、第４の実施形態と同様の構成を適用することができる。そこで、以下では、第４の実施形態とは異なる構成を中心に説明する。
【００９６】
図１２には、第５の実施形態にかかるヘアケア装置１を構成するアタッチメント４０２の構成を示す。図１２は、Ｚ−Ｙ平面におけるアタッチメント４０２の断面構造を示す図である。
【００９７】
アタッチメント４０２は、基台部（本体部）３１、カバー部３２、突起部４３３、差し込み部（取付け部）３４、送風口３５などを有している。基台部（本体部）３１、カバー部３２、差し込み部（取付け部）３４、および送風口３５は、第１の実施形態と同様の構成を有している。
【００９８】
第４の実施形態にかかるアタッチメント３０２では、各棒状体３４１の内部に空洞３４３が形成され、この空洞３４３が、先端接触部３４２へ風を送る送風路の役割を果たしている（図１１参照）。これに対して、第５の実施形態にかかるアタッチメント４０２では、各棒状体４４１における施術箇所との対向面に、溝部４４３が形成されている。溝部４４３は、第１の実施形態の溝部４３と類似した構成であるが、先端部側の構成が溝部４３とは異なっている。棒状体４４１の先端部側では、溝部４４３は、開口部４４４と連通している。開口部４４４は、棒状体４４１の内部を貫通して先端接触部４４２の表面の一部にまで延びている。
【００９９】
この溝部４４３および開口部４４４は、送風口３５を通る風を、先端接触部４４２へ向けて優先的に送る送風路の役割を果たす。溝部４４３および開口部４４４が、ヘアドライヤ３からの風を先端接触部４４２へ導く送風路の役割を果たすことで、ヘアドライヤ３から温風が吹き出される場合には、先端接触部４４２をより効率的に温めることができる。一方、ヘアドライヤ３から冷風が吹き出される場合には、先端接触部４４２をより効率的に冷やすことができる。
【０１００】
（まとめ）
本発明の一局面は、ヘアドライヤに取り付けられる取付具（例えば、アタッチメント２・１０２・２０２・３０２・４０２）に関する。この取付具は、本体部（例えば、基台部３１）と、突起部（例えば、突起部３３・３３３・４３３）とを有している。本体部は、ヘアドライヤの吹き出し口に取り付けられる取り付け部（例えば、差し込み部３４）を有する。突起部は、本体部から突出している。また、突起部は、施術箇所に接触する少なくとも一つの先端部を有する。突起部は、第１の部材（例えば、棒状体４１・１４１・３４１・４４１）と、第１の部材よりも熱伝導率の高い第２の部材（例えば、先端接触部４２・１４２・２４２・３４２・４４２）とを有している。第２の部材は、施術箇所側に位置している。
【０１０１】
上記の本発明の一局面にかかる取付具において、前記第２の部材は、前記先端部の少なくとも一部を形成し、前記第２の部材は、球体、多角形体、および柱状体のうちの何れかであってもよい。
【０１０２】
第２の部材を球体とすることで、加工を容易に行うことができる。また、第２の部材を多角形体とすることで、施術箇所への接触面積を大きくすることができる。また、第２の部材を柱状体とし、回転可能な構成とすることで、突起部にローラ状の先端部を形成することができる。柱状体としては、例えば、円柱体、角柱体などが挙げられる。
【０１０３】
上記の本発明の一局面にかかる取付具において、前記突起部は、前記先端部を有する複数の棒状体（例えば、棒状体４１・１４１・３４１・４４１）を有し、かつ、前記複数の棒状体の各先端部（例えば、先端接触部４２・２４２・３４２・４４２）は、前記第２の部材で形成されており、前記第２の部材で形成された各先端部は、湾曲面を有する前記施術箇所へ向かうようにそれぞれ配置されていてもよい。
【０１０４】
上記の本発明の一局面にかかる取付具において、前記突起部には、前記先端部を形成する前記第２の部材へ向けて風を送る送風路（例えば、溝部４３および切り欠き部４４、空洞３４３、並びに溝部４４３および開口部４４４）が設けられていてもよい。また、別の構成として、上述の第１の実施形態および第５の実施形態において、棒状体が溝部を有しておらず、先端接触部を保持する保持部に孔や切欠きを設けることによって、送風路を形成することもできる。
【０１０５】
上記の本発明の一局面にかかる取付具において、前記第２の部材は、可動部材であってもい。
【０１０６】
上記の本発明の別の局面は、ヘアドライヤに取り付けられる取付具（例えば、アタッチメント２・１０２・２０２・３０２・４０２）に関する。この取付具は、本体部（例えば、基台部３１）と、突起部（例えば、突起部３３・３３３・４３３）とを有している。本体部は、ヘアドライヤの吹き出し口に取り付けられる取り付け部（例えば、差し込み部３４）を有する。突起部は、本体部から突出している。また、突起部は、施術箇所に接触する少なくとも一つの先端部を有する。そして、前記突起部の少なくとも一部は、金属材料で形成されている。
【０１０７】
上記の本発明の別の局面にかかる取付具において、例えば、前記先端部が金属材料で形成されていることが好ましい。この構成の取付具をヘアドライヤに取り付けることで、ヘアドライヤから吹き出す風の温冷をより感じやすくすることができる。
【０１０８】
本発明のもう一つの局面は、ヘアドライヤと、上記の何れかの取付具とを備えているヘアケア装置に関する。
【０１０９】
上記の本発明もう一つの局面にかかるヘアケア装置において、前記ヘアドライヤ（例えば、ヘアドライヤ３）には、風の温度を制御する温度制御部（例えば、温度制御部７６）が設けられていてもよい。そして、前記温度制御部は、前記取付具が取り付けられた状態では、前記取付具が取り付けられていない状態のときと比較して、風の温度の上限値を低下させることが好ましい。この構成によれば、使用時の快適性をより向上させることができる。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１１】
１    ：ヘアケア装置
２    ：アタッチメント（取付具）
３    ：ヘアドライヤ
１１  ：吸い込み口
１２  ：吹き出し口
３１  ：基台部（本体部）
３２  ：カバー部
３３  ：突起部
３５  ：送風口
４１  ：棒状体（第１の部材）
４２  ：先端接触部（第２の部材）
４３  ：溝部（送風路）
４４  ：切り欠き部（送風路）
７６  ：温度制御部
１０２：アタッチメント（取付具）
１４１：棒状体（第１の部材）
１４２：先端接触部（第２の部材）
２０２：アタッチメント（取付具）
２４２：先端接触部（第２の部材）
３０２：アタッチメント（取付具）
３３３：突起部
３４１：棒状体（第１の部材）
３４２：先端接触部（第２の部材）
３４３：空洞（送風路）
４０２：アタッチメント（取付具）
４３３：突起部
４４１：棒状体（第１の部材）
４４２：先端接触部（第２の部材）
４４３：溝部（送風路）
４４４：開口部（送風路）
【図１】
2019118729.tif 000003
【図２】
2019118729.tif 000004
【図３】
2019118729.tif 000005
【図４】
2019118729.tif 000006
【図５】
2019118729.tif 000007
【図６】
2019118729.tif 000008
【図７】
2019118729.tif 000009
【図８】
2019118729.tif 000010
【図９】
2019118729.tif 000011
【図１０】
2019118729.tif 000012
【図１１】
2019118729.tif 000013
【図１２】
2019118729.tif 000014